(57)【要約】【課題】  制御装置の待機電力を零にする機能を備えた高周波加熱装置において、使用者に待機時間終了がはっきりわかるように構成する。【解決方法】  食品２を収納する加熱室１と、マグネトロン４の動作を制御する制御装置１２と、食品２を加熱室１に出し入れするためのドア５と、このドア５の開閉動作を検出するドア開閉検出手段１５と、加熱終了時に鳴動するブザー装置１６と、食品２の加熱終了後から予め設定した待機時間ｔ内に前記ドア開閉検出手段１５でドア５開動作の信号が検出されなかったとき制御装置１２の待機電力を零にする機能を備えた高周波加熱装置において、前記待機時間ｔの終了時に前記ブザー装置１６を鳴動させる。【選択図】  図３
2005114262.tif 000002
【特許請求の範囲】
【請求項１】
食品（２）を収納する加熱室（１）と、高周波を発振するマグネトロン（４）と、このマグネトロン（４）の動作を制御する制御装置（１２）と、食品（２）を加熱室（１）に出し入れするとき使用する開閉自在なドア（５）と、このドア（５）の開閉動作の情報を検出するドア開閉検出手段（１５）と、加熱終了時に鳴動するブザー装置（１６）と、食品（２）の加熱終了後、予め設定した待機時間（ｔ）の間前記ドア開閉検出手段（１５）でドア（５）開動作の情報が検出されなかったとき、制御装置（１２）の電源を遮断し待機電力を零にする機能を備えた高周波加熱装置において、前記待機時間（ｔ）が終了するとき前記ブザー装置（１６）を鳴動させることを特徴とする高周波加熱装置。
【請求項２】
待機時間（ｔ）の経過時間を操作部（９）の表示装置（９ｂ）に表示することを特徴とする請求項１記載の高周波加熱装置。
【発明の詳細な説明】
【技術分野】
【０００１】
本発明は、制御装置がある一定時間使用されなかった時、省エネ用のために制御装置の待機電力が零になる機能を備えた高周波加熱装置に関すものである。
【背景技術】
【０００２】
最近の電子レンジを始めとするエアコン、テレビそして洗濯機などの家庭電気製品は電子機器化が進み多彩な機能が付加し、使い勝手や性能が著しく向上している。この使い勝手や性能などの向上の主役はマイコンなどの電子部品が搭載されている制御装置である。
【０００３】
現在の家庭電気製品の制御装置にはマイコンや関連する電子部品がたくさん使用されており、これらの電子部品には使用者が使用していないときでも機能を維持するため常時、微量の電気が流れており、制御装置全体的では数Ｗの電力を消費している。
【０００４】
このような電力を待機電力と称し、ある電力会社の資料によると家庭で使う全消費電力量の１０％以上が待機電力といわれている。従ってこのような待機電力を極力少なくする運動が全国的にひろがっている。
【０００５】
このような待機電力をなくす、いわゆる省エネモードを備えたものとして特許文献１（特開２０００−２１５６０号公報）で示すように、食品の加熱終了後もドアが閉成状態であって、設定した待機時間を経過した時点で制御装置への電源の供給を零にする機能を備えているものがあった。
【０００６】
また、食品の加熱終了後使用者に加熱室内に食品の取り忘れがあることを知らせる方法として特許文献２（特開平６−２２９５６１号公報）に示すように、加熱終了後のブザーで報知する報知装置を備え、あらかじめ設定された時間をカウントし、周期的にブザー報知をさせたり、表示装置に加熱終了後の経過時間を表示したりするものがあった。
【０００７】
【特許文献１】特開平７−２１７９０６号公報
【０００８】
【特許文献２】特開平６−２２６５６１号公報
【発明の開示】
【発明が解決しようとする課題】
【０００９】
しかし、特許文献１に示す上記従来の技術にあっては、食品の加熱終了時に報知音で使用者に加熱が終了したことを報知するとともに加熱室を照明する庫内灯も消灯する。その後、ドアが閉成状態であって、電源供給を遮断する予め設定された時間、例えば設定時間を１０分とした場合、１０分間経過した時点で制御装置への電源の供給を零にする。
【００１０】
待機電力が零になるとき加熱した食品を加熱室から取り出し忘れた場合、使用者にはなんの報知もしないため取り忘れに気づかないという問題があった。
【００１１】
また、制御装置の電源が遮断されると機能選択や時間設定などを行なう操作部では受付は一切されず、使用者は故障と間違えるという問題が生じるが、この省エネモードに入ることを使用者に知らせる手段がとられていないという問題があった。
【００１２】
特許文献２に示すものは、あらかじめ設定された時間をカウントし、周期的にブザー報知をさせたり、表示装置に加熱終了後の経過時間を表示をすることにより加熱室の食品の取り出し忘れを使用者に知らせるだけで、設定された時間を過ぎた場合は制御装置への電源の供給を遮断する省エネモードにはならないという問題があった。
【課題を解決するための手段】
【００１３】
本発明は上記の課題を解決するために、加熱室と、高周波を発振するマグネトロンと、このマグネトロンの動作を制御する制御装置と、食品を加熱室に出し入れするとき使用する開閉自在なドアと、このドアの開閉動作を電気的に検出するドア開閉検出手段と、加熱終了時に鳴動するブザー装置と、食品の加熱終了後、前記ドア開閉検出手段でドアの開動作の信号が検出されず、食品の加熱終了後から予め設定した待機時間を経過した時点で制御装置の電源を遮断し待機電力を零にする機能を備えた高周波加熱装置において、前記ドアの開動作がこの待機時間終了までに前記ドア開閉検出手段で検出されなかったとき、前記ブザー装置で待機時間の終了を報知するようにしたものである。
【００１４】
また、待機時間の経過時間を操作部の表示装置に表示するようにしたものである。
【発明の効果】
【００１５】
以上、本発明によれば、加熱室と、高周波を発振するマグネトロンと、このマグネトロンの動作を制御する制御装置と、食品を加熱室に出し入れするとき使用する開閉自在なドアと、このドアの開閉動作を電気的に検出するドア開閉検出手段と、加熱終了時に鳴動するブザー装置と、食品の加熱終了後、前記ドア開閉検出手段でドアの開動作の信号が検出されず、食品の加熱終了後から予め設定した待機時間を経過した時点で制御装置の電源を遮断し待機電力を零にする機能を備えた高周波加熱装置において、前記ドアの開動作がこの待機時間終了までに前記ドア開閉検出手段で検出されなかったとき、前記ブザー装置で待機時間の終了を報知することにより、制御装置への電源の供給を遮断する前に、使用者が食品の取り出し忘れを認識することができる。
【００１６】
また、待機時間の経過時間を操作部の表示装置に表示することにより、制御装置への電源の供給を遮断する時間が把握でき、省エネ効果の向上が図られるなどの効果がある。
【発明を実施するための最良の形態】
【００１７】
以下、本発明の実施の形態について図に従って説明する。
【００１８】
図１は本発明の一実施例における高周波加熱装置の側面断面図で、１は食品２を収納する加熱室である。３は食品２を載置する食品載置板である。４は加熱室１内に高周波を供給するマグネトロンである。５はドアで、食品２を加熱室１に出し入れする時使用するもので開閉自在になっている。
【００１９】
６はマグネトロン４から発振される高周波を導く導波管である。７は電波が食品２に均一にあたるよう電波を撹拌する回転アンテナである。８は回転アンテナ７を回転させる回転モータである。７ａは回転アンテナ室で、上面が前記食品載置板３を共有し、他面は金属板７ｂで覆われている。
【００２０】
図２は本発明の一実施例におけるドア５を開けている状態の高周波加熱装置の外観斜視図で、９ａは加熱機能や加熱時間、加熱温度などを設定する入力装置である。９ｂは入力装置９ａで設定した機能や時間、温度などを表示する表示装置である。９ｃは食品２の加熱開始を指示するスタートキーである。９は操作部で、符号９ａから９ｃまでのもので構成されている。
【００２１】
図３は本発明の一実施例を示す高周波加熱装置の基本回路図で、１１は商用交流電源である。１２はマグネトロン４の出力制御などを行なう制御装置である。１４はマグネトロン４の回路をＯＮ、ＯＦＦするリレーである。１５はドア開閉検出手段で、ドア５の開閉に連動してマグネトロン４の回路や制御装置１２の電源をＯＮ、ＯＦＦするものである。１６はブザー装置で、加熱終了時などに鳴動して使用者にしらせるものである。
【００２２】
このように構成された本発明の作用について説明する。
【００２３】
いま、食品２を加熱室１に収納し、ドア５を閉じ操作部９の入力装置９ａで加熱機能、例えばレンジを選択し、加熱時間を１分４０秒と入力する。すると表示装置９ｂに入力装置９ａから入力した加熱機能や加熱時間などが表示される。
【００２４】
そして、スタートキー９ｃを押すと制御装置１２の命令でリレー１４が動作し、ドア５は閉じているのでドア開閉検出手段１５がＯＮとなり、マグネトロン４が動作して高周波が発振される。
【００２５】
この高周波は導波管６を通って回転アンテナ室７ａに導かれる。この回転アンテナ室７ａに導かれた高周波は回転アンテナモータ８により回転している回転アンテナ７により高周波が撹拌され、食品載置板３の食品２に放射され加熱する。
【００２６】
さらに、加熱が進み設定された時間になると加熱が終了すると同時にブザー装置１６が鳴動し使用者に知らせる。
【００２７】
ここで待機時間ｔについて説明する。待機時間ｔとは、食品２加熱の終了時点から制御装置１２の電源がＯＦＦとなり待機電力が零になるまでの時間をいう。
【００２８】
待機電力とは、前記制御装置１２にはマイコン（図示せず）や関連する電子部品（図示せず）がたくさん使用されており、これらの電子部品には使用者が使用していないときでも機能を維持するため、常時微量の電気が流れている。制御装置全体的では数Ｗの電力を消費しており、このような電力を待機電力と称す。このため、制御装置１２の待機電力が零になるとすべての電子部品は電気的に停止状態になる。
【００２９】
尚、制御装置１２の待機電力が零となっている状態の解除は、本発明ではドア５が開けられた情報をドア開閉検出手段１５が検出した場合とした。
【００３０】
このような制御装置１２の待機電力が零になると、ドア５の開閉操作を行なわず操作部９の入力装置９ａから加熱機能、例えばレンジとか加熱時間を設定しようとしても設定ができない。
【００３１】
そこで、実態調査から最後の食品２の加熱終了後約１０分経過すれば高周波加熱装置の使用はあまりないことがわかった。一方待機時間を多く取れば、無駄な電力を消費することになるので本発明では待機時間ｔは１０分とした。
【００３２】
次に、食品２の加熱終了後の動作について図４のフローチャートにより説明する。
【００３３】
食品２の加熱が終了すると直ちに待機時間ｔが制御装置１２で設定され、待機時間ｔのカンウトダウンが開始される。この間、ドア５の開閉がドア開閉検出手段１５でチェックされ、ＹＥＳの場合は待機時間ｔを初期設定に戻し、再度ドア閉じた時点から待機時間ｔのカウントダウンが開始される。
【００３４】
ＮＯの場合は待機時間ｔのカウントダウンが継続され、待機時間ｔが零になる直前にブザー装置１６を鳴動させた後、制御装置１２への電源の供給を遮断し、制御装置１２の消費電力は零になる。
【００３５】
次に、本発明の他の実施例の説明をする。上記で説明したようにして食品２の加熱を行い、加熱終了後の動作について図５のフローチャートにより説明する。
【００３６】
食品２の加熱が終了すると直ちに待機時間ｔが制御装置１２で設定され、待機時間ｔのカンウトダウンが開始される。すると待機時間ｔの残時間は表示装置９ｂに表示される。
【００３７】
また、待機時間ｔのカウントダウン中にドア５の開閉のチェックがドア開閉検出手段１５により行なわれ、ＹＥＳつまりドア５が開けられた場合は待機時間ｔを初期設定に戻し、再度ドア５を閉じ時点から待機時間ｔのカウントダウンが開始される。
【００３８】
ＮＯつまりドアが継続して閉じられている場合待機時間ｔのカウントダウンが継続され、待機時間ｔが零になる直前にブザー装置１６を鳴動させ、制御装置１２への電源の供給を遮断し、制御装置１２の待機電力は零になる。
【００３９】
このように本発明において、制御装置１２への電源の供給が遮断され待機電力が零になる前に、待機時間ｔ直前においてブザー装置の鳴動や表示装置９ｂに経過時間表示があるので、使用者が取り出し忘れを認識することができ、取り出し忘れた時の加熱室への長時間放置による食品２への衛生面も改善することができる。
【図面の簡単な説明】
【００４０】
【図１】本発明の一実施例を示す高周波加熱装置の側面断面図である。
【図２】本発明の一実施例を示す高周波加熱装置の外観斜視図である。
【図３】本発明の一実施例を示す高周波加熱装置の基本回路図である。
【図４】本発明の一実施例における食品の加熱終了から制御装置の待機電力が零になるまでを示すフローチャートである。
【図５】本発明の他の実施例における食品の加熱終了から制御装置の待機電力が零になるまで、経過時間を表示装置に表示する場合のフローチャートである。
【符号の説明】
【００４１】
１・・・加熱室
２・・・食品
４・・・マグネトロン
５・・・ドア
９・・・操作部
９ｂ・・表示装置
１２・・・制御装置
１５・・・ドア開閉検出手段
１６・・・ブザー装置
【図１】
2005114262.tif 000003
【図２】
2005114262.tif 000004
【図３】
2005114262.tif 000005
【図４】
2005114262.tif 000006
【図５】
2005114262.tif 000007